(57)【要約】【課題】被照射体自体、及び／又は、マイクロ波照射装置自体を移動させることなく、被照射体の異なる部位にマイクロ波を照射することが可能なマイクロ波照射装置を提供すること。【解決手段】マイクロ波照射装置１は、第１収容部１１、マイクロ波Ｗを照射する第１照射部１７、及び、第１照射部１７を移動させることが可能な第１駆動部１３、を有する第１ユニット１０と、被照射空間Ｓを挟んで第１収容部１１と対向して配置された第２収容部２１、マイクロ波Ｗを照射する第２照射部２７、及び、第２照射部２７を移動させることが可能な第２駆動部２３、を有する第２ユニット２０と、第１駆動部１３及び第２駆動部２３を駆動させ、被照射空間Ｓの特定部分Ｓｘに向けてマイクロ波Ｗが照射されるよう、第１照射部１７及び第２照射部２７の位置及びマイクロ波照射を制御する制御部３１を有する制御ユニット３０と、を備える。【選択図】図１
0003229743.tif 000002
【実用新案登録請求の範囲】
【請求項１】
第１収容部、
被照射体が配置される被照射空間へ向けて、前記被照射空間の一方側からマイクロ波を照射する第１照射部、及び、
前記第１照射部を前記第１収容部の内部で移動させることが可能な第１駆動部、
を有する第１ユニットと、
前記被照射空間を挟んで前記第１収容部と対向して配置された第２収容部、
前記被照射空間へ向けて、前記被照射空間の他方側からマイクロ波を照射する第２照射部、及び、
前記第２照射部を前記第２収容部の内部で移動させることが可能な第２駆動部、
を有する第２ユニットと、
前記第１駆動部及び前記第２駆動部を駆動させ、前記被照射空間の特定部分に向けてマイクロ波が照射されるよう、前記第１照射部及び前記第２照射部の位置及びマイクロ波照射を制御する制御部を有する制御ユニットと、
を備えるマイクロ波照射装置。
【請求項２】
前記制御部が、前記被照射体の特定の部位を想定して分割された前記特定部分に向けてマイクロ波が照射されるよう制御する、請求項１に記載のマイクロ波照射装置。
【請求項３】
前記制御部が、所定の前記特定部分を照射可能な位置への前記第１照射部及び前記第２照射部の移動、並びに、前記第１照射部及び前記第２照射部からの所定の前記特定部分への前記マイクロ波照射を、予め設定された順序に基づき制御する、請求項１又は請求項２に記載のマイクロ波照射装置。
【考案の詳細な説明】
【技術分野】
【０００１】
本考案は、被照射体の正面側及び背面側からマイクロ波を照射するマイクロ波照射装置に関する。
【背景技術】
【０００２】
マイクロ波照射により、がんや、血流促進による肩こり等の治療を目的としたマイクロ波照射装置が知られている（例えば、特許文献１参照）。
【先行技術文献】
【特許文献】
【０００３】
【特許文献１】実用新案登録第３１８８４２２号公報
【考案の概要】
【考案が解決しようとする課題】
【０００４】
従来のマイクロ波照射装置においては、被照射体の異なる部位にマイクロ波を照射するために、被照射体自体、マイクロ波照射装置自体、又はその両方を移動させ、マイクロ波照射部位を調節する必要がある。
【０００５】
本考案は、上記の事情に鑑みて為されたもので、被照射体自体、及び／又は、マイクロ波照射装置自体を移動させることなく、被照射体の異なる部位にマイクロ波を照射することが可能なマイクロ波照射装置を提供することを例示的課題とする。
【課題を解決するための手段】
【０００６】
上記の課題を解決するために、本考案は、以下の構成を有する。
（１）第１収容部、被照射体が配置される被照射空間へ向けて、前記被照射空間の一方側からマイクロ波を照射する第１照射部、及び、前記第１照射部を前記第１収容部の内部で移動させることが可能な第１駆動部、を有する第１ユニットと、前記被照射空間を挟んで前記第１収容部と対向して配置された第２収容部、前記被照射空間へ向けて、前記被照射空間の他方側からマイクロ波を照射する第２照射部、及び、前記第２照射部を前記第２収容部の内部で移動させることが可能な第２駆動部、を有する第２ユニットと、前記第１駆動部及び前記第２駆動部を駆動させ、前記被照射空間の特定部分に向けてマイクロ波が照射されるよう、前記第１照射部及び前記第２照射部の位置及びマイクロ波照射を制御する制御部を有する制御ユニットと、を備えるマイクロ波照射装置。
【０００７】
本考案の更なる目的又はその他の特徴は、以下添付図面を参照して説明される好ましい実施の形態によって明らかにされるであろう。
【考案の効果】
【０００８】
本考案に係るマイクロ波照射装置は、被照射体自体、及び／又は、マイクロ波照射装置自体を移動させることなく、被照射体の異なる部位にマイクロ波を照射することを可能とする。
【図面の簡単な説明】
【０００９】
【図１】マイクロ波照射装置１の概要を示す模式図
【図２】第１ユニット１０の断面を示す模式図
【図３】ディスプレイ３５の表示例
【図４】特定部分Ｓｘの説明図
【考案を実施するための形態】
【００１０】
［実施形態１］
以下、実施形態１に係るマイクロ波照射装置１について、図面を参照しながら説明する。図１は、マイクロ波照射装置１の概要を示す模式図である。マイクロ波照射装置１は、第１ユニット１０と、第２ユニット２０と、制御ユニット３０と、を備える。図１中、外部からは視認できない構成について、破線で示している。また、マイクロ波Ｗは、一点鎖線で示している。なお、各図面は、説明を容易にすることを目的に示すものであり、実際の距離や大きさを直接的に反映するものでないことは言うまでもない。
【００１１】
図１において、被照射体Ｐとして、人間（ヒト）である患者を示している。図１では、座った状態の患者の腹側（第１ユニット１０側）及び背中側（第２ユニット２０側）からマイクロ波が照射される構成を示している。被照射体Ｐとしては、人間（ヒト）に限定されず、生体、人工物を問わず、適宜選択することができる。以下、実施形態１の説明として、被照射体Ｐが人間（ヒト）である場合について記載する。
【００１２】
図１に示すように、第１ユニット１０と第２ユニット２０とは、所定の距離で離間して配置されている。第１ユニット１０と第２ユニット２０との間の空間が被照射空間Ｓである。すなわち、第１ユニット１０と第２ユニット２０とは、被照射空間Ｓを挟んで配置されている。第１ユニット１０と第２ユニット２０との間の距離（Ｚ方向の離間距離）は、被照射体Ｐの侵入及び離脱に支障がなく、マイクロ波Ｗを適切に照射可能である限り、特に制限されない。被照射体Ｐが人間（ヒト）である場合、離間距離は、５０〜１００ｃｍ程度とすることができ、６０ｃｍ程度とすることが好ましい。
【００１３】
第１ユニット１０と第２ユニット２０とは、互いに対向して配置されている。すなわち、第１ユニット１０の外形を構成する第１収容部１１が有する複数の面のうちマイクロ波Ｗが照射される側の面１１ａと、第２ユニット２０の外形を構成する第２収容部２１が有する複数の面のうちのマイクロ波Ｗが照射される側の面２１ａと、が向き合った状態で、第１ユニット１０と第２ユニット２０とが配置されている。言い換えると、第１ユニット１０の第１照射部１７がマイクロ波Ｗを照射する向きと、第２ユニット２０の第２照射部２７がマイクロ波Ｗを照射する向きと、が図１中のＺ方向において対向している。すなわち、第１照射部１７は、図１中のＺ方向の正の向きにマイクロ波Ｗを照射し、第２照射部２７は、図１中のＺ方向の負の向きにマイクロ波Ｗを照射する。第１照射部１７、第２照射部２７等の、第１ユニット１０及び第２ユニット２０や、制御ユニット３０の具体的構成については、後述する。
【００１４】
第１ユニット１０の第１照射部１７及び第２ユニット２０の第２照射部２７からそれぞれ照射されるマイクロ波は、被照射空間Ｓの特定部分Ｓｘを通るように構成される。すなわち、第１照射部１７の第１ユニット１０内の位置（ＸＹ方向の位置）と、第２照射部２７の第２ユニット２０内の位置（ＸＹ方向の位置）と、が常に対応するよう構成されている。具体的には、第１照射部１７を移動させる第１駆動部１３と、第２照射部２７を移動させる第２駆動部２３とが連動して、第１照射部１７と第２照射部２７とが、常にＺ方向の同一直線上に位置し、対向するよう制御ユニット３０によって制御されている。
【００１５】
ここで、特定部分Ｓｘは、被照射空間Ｓの一部であり、被照射体Ｐにおいてマイクロ波Ｗを照射させる目標部分である。特定部分Ｓｘは、被照射体Ｐの全体であっても、一部分であってもよい。第１ユニット１０及び第２ユニット２０は、特定部分Ｓｘを照射可能なように、第１照射部１７及び第２照射部２７を、第１駆動部１３及び第２駆動部２３が連動することによって、ＸＹ方向の位置を調節することができるよう構成されている。
【００１６】
＜第１ユニット１０＞
第１ユニット１０は、図１及び図２に示すように、第１収容部１１と、第１照射部１７と、第１駆動部１３と、を有する。図１中、内部構成である第１照射部１７及び第１駆動部１３は破線で示している。図２は、第１ユニット１０の断面を示す模式図である。図２では、図１中のＡ−Ａ断面を示しており、第１ユニット１０の内部構成を示している。
【００１７】
第１収容部１１は、第１ユニット１０の外形を構成する筐体である。第１収容部１１の形状（第１ユニット１０の外形）としては、特に制限されないが、例えば図１及び図２に示すように、マイクロ波Ｗが照射される側の面１１ａを少なくとも含む複数の面を有する形状とすることができ、立方体形状とすることができる。第１収容部１１において、マイクロ波Ｗが照射される側の面１１ａは、マイクロ波Ｗを透過可能な材料で形成されている。マイクロ波Ｗを透過可能な材料としては、導電性材料を含まない樹脂、プラスチック、ガラス、繊維、陶磁器等を挙げることができる。
【００１８】
第１駆動部１３は、第１照射部１７を、第１収容部１１内で、ＸＹ平面上で任意に移動させることが可能である限り、特に制限されない。第１駆動部１３としては、例えば図２に示すように、Ｘ方向駆動部１４と、Ｙ方向駆動部１５と、で構成されていてもよい。なお、実施形態１における第１駆動部１３として、Ｘ方向及びＹ方向に駆動させる駆動部に限定されることなく、ＸＹ平面内で、Ｘ軸、Ｙ軸とは異なる軸の方向における直線的移動や円周、楕円軌道上の移動等であっても実現可能な限り制限されないことは、言うまでもない。
【００１９】
Ｘ方向駆動部１４は、第１収容部１１に固定され、Ｘ方向に直線的に延びている。Ｘ方向駆動部１４には、Ｙ方向駆動部１５が、Ｘ方向に移動可能に接続されている。Ｘ方向駆動部１４は、モーター（図示せず）と接続されており、Ｙ方向駆動部１５を、当該モーターの駆動によりＸ方向に移動させることができるよう構成されている。当該モーターの駆動は、制御ユニット３０によって制御される。Ｙ方向駆動部１５のＸ方向の移動を安定させるために、Ｘ方向駆動部１４と所定距離だけＹ方向に離間した位置に、Ｙ方向駆動部１５がＸ方向に移動可能に接続されたレール１６が配置されている。レール１６は、モーター等の駆動機構に接続されていなくてもよい。
【００２０】
Ｙ方向駆動部１５は、Ｘ方向駆動部１４及びレール１６に接続され、Ｙ方向に直線的に延びている。Ｙ方向駆動部１５には、第１照射部１７が、Ｙ方向に移動可能に接続されている。Ｙ方向駆動部１５は、モーター（図示せず）と接続されており、第１照射部１７を、当該モーターの駆動によりＹ方向に移動させることができるよう構成されている。当該モーターの駆動は、制御ユニット３０によって制御される。
【００２１】
第１照射部１７は、第１照射口１８を有し、当該第１照射口１８からマイクロ波Ｗを照射する。第１照射口１８は、マイクロ波Ｗが照射される側の面１１ａに面しており、被照射空間Ｓの特定部分Ｓｘに向けてマイクロ波Ｗが照射されるよう構成されている。
【００２２】
第１照射部１７（第１照射口１８）の第１収容部１１内でのＸＹ方向の位置は、第１駆動部１３によって調節可能である。第１照射部１７（第１照射口１８）の第１収容部１１内でのＺ方向の位置は、調節可能とすることもできるが、固定であってもよい。
【００２３】
＜第２ユニット２０＞
第２ユニット２０は、上述の第１ユニット１０と同様の構成とすることができるため、第２ユニット２０の詳細な説明は省略する。なお、第２ユニット２０は、マイクロ波Ｗが照射される側の面２１ａが、第１ユニット１０のマイクロ波Ｗが照射される側の面１１ａと対向するように配置される。
【００２４】
＜制御ユニット３０＞
制御ユニット３０は、図１に示すように、制御部３１と、ディスプレイ３５と、を備えている。制御部３１としては、内部に少なくとも処理装置（中央処理装置（ＣＰＵ））と記憶装置（メモリ、ストレージ等）とを備え、記憶装置から読み込まれたプログラムに基づいて処理装置が各種機能を実現するコンピュータを用いることができる。図１に示すように、制御ユニット３０は、第１ユニット１０及び第２ユニット２０のそれぞれと、配線Ｌを介して、通信可能に接続されている。
【００２５】
制御部３１は、第１駆動部１３及び第２駆動部２３（各モータ）の駆動、並びに、第１照射部１７及び第２照射部２７の照射等の各機能を制御することができる。これにより、制御部３１は、被照射空間Ｓの特定部分Ｓｘに向けてマイクロ波Ｗが照射されるよう、マイクロ波照射装置１を制御することができる。制御部３１は、第１照射部１７及び第２照射部２７の位置や、マイクロ波Ｗの照射等の状況をセンサ等による情報としてフィードバックを得ていても良い。
【００２６】
制御部３１は、上述の制御を、予め設定された情報に基づき制御することができる。すなわち、制御部３１は、予め組まれたプログラム及び操作者の設定に基づき、マイクロ波照射装置１を制御することができる。更に具体的には、所定の特定部分Ｓｘに対して、マイクロ波Ｗを照射する時間や、照射する間隔（インターバル）、照射強度、また、複数の特定部分Ｓｘを照射する場合には、各特定部分Ｓｘを照射する順序等、各種情報に基づき制御することができる。
【００２７】
ディスプレイ３５は、制御部３１の出力装置として接続されており、制御部３１によって生成される画像情報を表示させることができる。図３は、ディスプレイ３５の表示例である。図３において、ディスプレイ３５の左側部分に「１」〜「１０」の番号が付されたボタンが表示されており、右側部分に「設定」、「開始」、「キャンセル」等と記載されたボタンが表示されている。
【００２８】
ディスプレイ３５は、タッチパネルであってもよく、制御部３１の入力装置としての機能を有していても良い。操作者は、ディスプレイ３５に表示されたボタンをタッチすることで、制御部３１を操作することができる。
【００２９】
ディスプレイ３５に表示されている「１」〜「１０」のボタンには、それぞれ、「出力強度：２」、「照射時間：３０秒」、「インターバル：３秒」、「繰返し回数：３回」等のように、マイクロ波Ｗの出力強度や、照射時間、照射と照射の間のインターバル時間、照射の繰返し回数等を表示させることができる。例えば、操作者が、「１」のボタンを押下し、それにより表示される詳細設定画面において、出力強度や照射時間、インターバル時間、繰返し回数等を設定することができ、その設定内容を、図３の各ボタンのように表示させることができる。操作者が「１」〜「１０」の各ボタンについて、設定を行った後、「開始」ボタンを押下することにより、制御部３１が、これら設定に基づき、マイクロ波照射装置１の制御を開始する。
【００３０】
マイクロ波照射装置１が照射するマイクロ波Ｗの照射強度は、被照射体Ｐに悪影響を及ぼさず、マイクロ波Ｗの照射による効果が得られる限り、特に制限されず、例えば、出力強度が、１〜４の４段階のうちの３の場合、６００Ｗとすることができる。マイクロ波Ｗの照射時間も、被照射体Ｐに悪影響を及ぼさず、マイクロ波Ｗの照射による効果が得られる限り、特に制限されず、例えば、１０秒程度とすることができる。マイクロ波Ｗの照射と照射の間のインターバル時間は、例えば１０秒程度とすることができる。マイクロ波Ｗの照射の繰返し回数は、例えば３回とすることができる。
【００３１】
ディスプレイ３５に表示されている「１」〜「１０」の各ボタンが示す領域は、被照射体Ｐの特定の部位を想定して分割された特定部分Ｓｘに対応させることができる。図４は、特定部分Ｓｘの説明図である。図４中、被照射体Ｐ（破線）上で、「１」〜「１０」の番号が付された長方形を表示しており、これら各長方形が、特定の部位を想定して分割された特定部分Ｓｘを表している。これら「１」〜「１０」の番号が付された長方形は、図３の「１」〜「１０」の各ボタンに対応させることができる。例えば、図３において、「５」のボタンに対して「出力：３」、「３０秒」と設定した場合、特定部分Ｓｘとして「５」の番号が付された部位である被照射体Ｐの右胸部分に、照射強度が「出力３」で、「３０秒間」マイクロ波Ｗが照射される。
【００３２】
以上、実施形態１に係るマイクロ波照射装置１について説明したが、本考案に係るマイクロ波照射装置としては、マイクロ波照射装置１に限定されず、例えば、マイクロ波Ｗの照射方向（Ｚ方向）が鉛直方向であり、被照射体Ｐである人間（ヒト）が寝台に横たわった状態でマイクロ波Ｗが照射される構成を有するマイクロ波照射装置とすることも可能である。
【００３３】
以上、本考案の好ましい実施の形態を説明したが、本考案はこれらに限定されるものではなく、その要旨の範囲内で様々な変形や変更が可能である。例えば、本考案は以下の趣旨を含むものとする。
【００３４】
（趣旨１）マイクロ波照射装置は、第１収容部、被照射体が配置される被照射空間へ向けて、前記被照射空間の一方側からマイクロ波を照射する第１照射部、及び、前記第１照射部を前記第１収容部の内部で移動させることが可能な第１駆動部、を有する第１ユニットと、前記被照射空間を挟んで前記第１収容部と対向して配置された第２収容部、前記被照射空間へ向けて、前記被照射空間の他方側からマイクロ波を照射する第２照射部、及び、前記第２照射部を前記第２収容部の内部で移動させることが可能な第２駆動部、を有する第２ユニットと、前記第１駆動部及び前記第２駆動部を駆動させ、前記被照射空間の特定部分に向けてマイクロ波が照射されるよう、前記第１照射部及び前記第２照射部の位置及びマイクロ波照射を制御する制御部を有する制御ユニットと、を備えることを趣旨とする。
【００３５】
これによれば、被照射体自体、及び／又は、マイクロ波照射装置自体を移動させることなく、被照射体の異なる部位にマイクロ波を照射することができる。
【００３６】
（趣旨２）マイクロ波照射装置は、前記制御部が、前記被照射体の特定の部位を想定して分割された前記特定部分に向けてマイクロ波が照射されるよう制御するものであってもよい。
【００３７】
（趣旨３）マイクロ波照射装置は、前記制御部が、所定の前記特定部分を照射可能な位置への前記第１照射部及び前記第２照射部の移動、並びに、前記第１照射部及び前記第２照射部からの所定の前記特定部分へのマイクロ波照射を、予め設定された情報に基づき制御するものであってもよい。
【符号の説明】
【００３８】
１：マイクロ波照射装置         １０：第１ユニット             １１：第１収容部
１３：第１駆動部               １４：Ｘ方向駆動部             １５：Ｙ方向駆動部
１６：レール                   １７：第１照射部               １８：第１照射口
２０：第２ユニット             ２１：第２収容部               ２３：第２駆動部
２７：第２照射部               ３０：制御ユニット             ３１：制御部
３５：ディスプレイ             Ｐ：被照射体                   Ｓ：被照射空間
Ｓｘ：特定部分                 Ｗ：マイクロ波                 Ｌ：配線
【図１】
0003229743.tif 000003
【図２】
0003229743.tif 000004
【図３】
0003229743.tif 000005
【図４】
0003229743.tif 000006